(57)【要約】【課題】  送信済み原稿をヘッダ部あるいはフッタ部に記録された情報による分別を可能にし、かつ同一原稿を他の送信先等に再送信する時はヘッダ部あるいはフッタ部に記録された不必要な情報を送信データに入らなくすることを可能にする。【解決手段】  送信時に入力された送信先・ポーリング・同報・原稿枚数を含む送信諸情報印字データ６を、原稿３のヘッダ部あるいはフッタ部にドロップアウトカラーで記録する送信諸情報印字装置５を備えたファクシミリ装置。【選択図】        図１
2005094379.tif 000002
【特許請求の範囲】
【請求項１】
送信時に入力された送信先、ポーリング、同報、原稿枚数  を含む送信諸情報印字データを、原稿のヘッダ部あるいはフッタ部にドロップアウトカラーで記録する送信諸情報印字装置を備えたことを特徴とするファクシミリ装置。
【請求項２】
請求項１のファクシミリ装置において、送信諸情報印字データはデジタルデータであり、このデジタルデータを読み取るための専用の送信諸情報読み取り光源を備えたことを特徴とするファクシミリ装置。
【請求項３】
受信紙のヘッダ部あるいはフッタ部に記録する送信元・日時を含む受信諸情報印字データを受信画像印字色とは別のドロップアウトカラーで記録する受信諸情報印字装置を備えたことを特徴とするファクシミリ装置。
【発明の詳細な説明】
【技術分野】
【０００１】
本発明はファクシミリ装置に関する。
【背景技術】
【０００２】
従来のファクシミリ装置においては、送信完了時に原稿上に送信が正常終了したことを示すスタンプ等が記録されるようになっている。また、従来のファクシミリ装置においては、受信された記録紙のヘッダ部あるいはフッタ部に記録する送信元・日時等のデータを受信データと同一色で記録している。
【発明の開示】
【発明が解決しようとする課題】
【０００３】
従来のファクシミリ装置においては、送信時に原稿には送信が正常終了したことを示すスタンプ等しか記録されず、かつスタンプ等は同一原稿を他の送信先等に再送信する時は読み取られてしまい、不必要にも関わらず送信データに入ってしまう可能性があった。
また従来のファクシミリ装置においては、受信された記録紙のヘッダ部あるいはフッタ部に記録する送信元・日時等のデータを受信データと同一色で記録しており、受信紙を他の送信先に転送する時など不必要なヘッダ部あるいはフッタ部のデータも送信データに入ってしまう可能性があった。
本発明は、送信済み原稿をヘッダ部あるいはフッタ部に記録された情報による分別を可能にし、かつ同一原稿を他の送信先等に再送信する時はヘッダ部あるいはフッタ部に記録された不必要な情報を送信データに入らなくすることを可能にし、また受信紙を他の送信先に転送する時はヘッダ部あるいはフッタ部に記録された情報を送信データに入らなくすることを可能するファクシミリ装置を提供することを目的とする。
【課題を解決するための手段】
【０００４】
上記目的を達成するために、請求項１記載の発明は、送信時に入力された送信先・ポーリング・同報・原稿枚数を含む送信諸情報印字データを、原稿のヘッダ部あるいはフッタ部にドロップアウトカラーで記録する送信諸情報印字装置を備えたファクシミリ装置を最も主要な特徴とする。
請求項２記載の発明は、請求項１のファクシミリ装置において、送信諸情報印字データはデジタルデータであり、このデジタルデータを読み取るための専用の送信諸情報読み取り光源を備えたファクシミリ装置を主要な特徴とする。
請求項３記載の発明は、受信紙のヘッダ部あるいはフッタ部に記録する送信元・日時を含む受信諸情報印字データを受信画像印字色とは別のドロップアウトカラーで記録する受信諸情報印字装置を備えたファクシミリ装置を最も主要な特徴とする。
【発明の効果】
【０００５】
本発明では、送信時に入力された送信先・ポーリング・同報・原稿枚数を含む送信諸情報印字データを、原稿のヘッダ部あるいはフッタ部にドロップアウトカラーで記録する送信諸情報印字装置を備えたことで、また受信紙のヘッダ部あるいはフッタ部に記録する送信元・日時を含む受信諸情報印字データを受信画像印字色とは別のドロップアウトカラーで記録する受信諸情報印字装置を備えたことで、所期の目的を達成することができる。
【発明を実施するための最良の形態】
【０００６】
以下、本発明の実施の形態を図面に従って説明する。
図１は本発明の第１の実施形態に係るファクシミリ装置の構成図、図２は送信時の諸情報をフッタ部に記録した原稿の例を示す図である。
図１に示すように、スキャナの上にＡＤＦ２が搭載されている。ＡＤＦ２の原稿セット部にセットされた原稿３は、オペレータが送信時の諸情報を入力してスタートボタンをオンした後にフィードされ、フッタ部が送信諸情報印字装置（スキャナ光源４におけるドロップアウトカラーを用いた印字装置）５に達した時点で、フッタ部にドロップアウトカラーによる送信諸情報印字データ６（図２）が記録された後、ファクシミリ送信される。
フッタ部に記録されたドロップアウトカラーによる送信諸情報印字データ６は目視では確認でき、情報としての分別は可能であるが、同一原稿を再度送信する場合は、ドロップアウトカラーによる印字情報であるため、送信情報として読取ることができず、送信データに入ることはない。図２において符号７は原稿通紙方向を示す。
図３は本発明の第２の実施形態に係るファクシミリ装置の構成図、図４は受信時の諸情報をヘッダ部に記録した受信紙の例を示す図である。
スキャナ１１は、受信諸情報印字装置（スキャナ光源のドロップアウトカラー）１２と受信画像印字部１３を有している。受信時の諸情報を、受信諸情報印字装置１２でドロップアウトカラーによる受信諸情報印字データ１５（図４）として受信紙１４に印字した後に、受信画像は受信画像印字部１３で受信紙１４に印字する。
受信紙１４を他の送信先に転送する場合は、受信紙１４のヘッダ部に記録されたドロップアウトカラーによる受信諸情報印字データ１５はドロップアウトカラーであるためスキャナ１１で読み込まれず送信データに入ることはない。図４において符号１６は受信紙通紙方向を示す。
【０００７】
図５は本発明の第３の実施形態に係るファクシミリ装置の構成図、図６は送信時の諸情報をヘッダ部に記録した原稿の例を示す図である。
図５に示すように、スキャナ１の上にＡＤＦ２が搭載されている。ＡＤＦ２の原稿セット部にセットされた原稿３は、オペレータが送信時の諸情報を入力後にフィードされ、原稿のフッタ部が送信諸情報印字装置（スキャナ光源４のドロップアウトカラー）５に達した時点でドロップアウトカラーによる送信諸情報デジタル印字データ９（図６）が記録された後、ファクシミリ送信される。
同一原稿をスキャナ１で読み込む場合は、ドロップアウトカラーによる送信諸情報デジタル印字データ９を送信諸情報読み取り用光源８で読み込み、そのデータを元にＦＡＸの再送信・ファクシミリ装置への宛先の登録等を行う。
本発明では、送信済み原稿をヘッダ部あるいはフッタ部に記録された情報による分別を可能にし、かつ同一原稿を他の送信先等に再送信する時はヘッダ部あるいはフッタ部に記録された不必要な情報を送信データに入らなくすることが可能になる。
また、受信紙を他の送信先に転送する時はヘッダ部あるいはフッタ部に記録された情報を送信データに入らなくすることが可能になる。さらに、ヘッダ部あるいはフッタ部に記録されたデータを元にＦＡＸの再送信・ファクシミリ装置への宛先の登録等が可能になる。
【図面の簡単な説明】
【０００８】
【図１】本発明の第１の実施形態に係るファクシミリ装置の構成図。
【図２】送信時の諸情報をフッタ部に記録した原稿の例を示す図。
【図３】本発明の第２の実施形態に係るファクシミリ装置の構成図。
【図４】受信時の諸情報をヘッダ部に記録した受信紙の例を示す図。
【図５】本発明の第３の実施形態に係るファクシミリ装置の構成図。
【図６】送信時の諸情報をヘッダ部に記録した原稿の例を示す図。
【符号の説明】
【０００９】
１  スキャナ、２  ＡＤＦ、３  原稿、４  スキャナ光源、５  送信諸情報印字装置、６  送信諸情報印字データ
【図１】
2005094379.tif 000003
【図２】
2005094379.tif 000004
【図３】
2005094379.tif 000005
【図４】
2005094379.tif 000006
【図５】
2005094379.tif 000007
【図６】
2005094379.tif 000008